(57)【要約】【課題】  太陽光発電と融雪装置を効果的に組み合わせて、双方の利点を生かすことができる太陽光発電兼用融雪装置を提供する。【解決手段】  融雪用の水を汲み上げて散水するポンプ１４と、ポンプ１４が設けられたポンプ設置構造物であるポンプ小屋１８と、ポンプ小屋１８の屋根に設置され太陽電池パネル１２とを備える。太陽電池パネル１２により発電した電力をポンプ１４に供給するとともに、ポンプ１４が電力を必要としていない場合には、太陽電池パネル１２で発電した電力を、商用電源側に流す配電盤２６を備える。ポンプ小屋１８の屋根材を太陽電池パネル１２で兼用したものでも良く、融雪装置１０により、太陽電池パネル１２表面の雪を溶かす太陽電池用散水装置２８を備えても良い。【選択図】図１
2005155272.tif 000002
【特許請求の範囲】
【請求項１】
融雪用の水を汲み上げて散水するポンプと、このポンプが設けられたポンプ設置構造物と、上記ポンプ設置構造物に取付取り付けられた太陽電池パネルとを備え、上記太陽電池パネルにより発電した電力を上記ポンプの駆動モータに供給するとともに、上記ポンプが電力を必要としていない時は、上記太陽電池パネルで発電した電力を商用電源側に流す配電盤を備えたことを特徴とする太陽光発電兼用融雪装置。
【請求項２】
上記ポンプ設置構造物は、上記ポンプを収容したポンプ小屋であり、このポンプ小屋の屋根材を上記太陽電池パネルで兼用したものである請求項１記載の太陽光発電兼用融雪装置。
【請求項３】
上記融雪装置により、上記太陽電池パネル表面の雪を溶かす太陽電池用散水装置を備えた請求項１記載の太陽光発電兼用融雪装置。
【請求項４】
地表付近の地下に埋設され融雪用の電熱を発生させる発熱材と、この発熱材に電力を供給する制御装置と、この制御装置を備えた設置構造物と、上記設置構造物に取り付けられた太陽電池パネルとを備え、上記太陽電池パネルにより発電した電力を上記発熱材に供給するとともに、上記発熱材が電力を必要としていない時は、上記太陽電池パネルで発電した電力を商用電源側に流す配電盤を備えたことを特徴とする太陽光発電兼用融雪装置。
【発明の詳細な説明】
【技術分野】
【０００１】
この発明は、太陽電池を用いた太陽光発電と地下水等を利用した融雪装置を組み合わせた太陽光発電兼用融雪装置に関する。
【背景技術】
【０００２】
従来、太陽電池を用いて太陽光発電を行い、電力利用に供しているシステムがある。また、降雪地帯では、地下水をポンプでくみ上げて道路にまき、融雪する装置が広く用いられている。融雪装置は、所定の範囲をカバーする汲み上げ量のポンプをポンプ小屋等に配置し、そのポンプ小屋から地下の管路により、地下水を融雪用の散水管に送り出している。
【特許文献１】特開２００３−８６８２１号公報
【発明の開示】
【発明が解決しようとする課題】
【０００３】
上記従来の技術の場合、太陽電池による太陽光発電は、日照時間と光の強さに比例して電力が得られるもので、夏場等には多くの電力が得られるが、天気の悪い日が多い降雪地帯の冬には、発電量が激減してしまうものであった。一方発電量が多い春から秋にかけては、融雪装置はまったく作動していないものであり、ポンプ小屋等の設置スペースが無駄となっていた。
【０００４】
また、ポンプ小屋を設置するためには、その設置スペース分の土地が必要となり、その上、融雪装置のランニングコストも毎年かかるものであり、融雪装置の設置コストは地域にとって大きな負担であった。
【０００５】
この発明は、上記従来の技術の問題点に鑑みてなされたもので、太陽光発電と融雪装置を効果的に組み合わせて、双方の利点を生かすことができる太陽光発電兼用融雪装置を提供することを目的とする。
【課題を解決するための手段】
【０００６】
この発明は、融雪用の地下水等を汲み上げて散水するポンプと、このポンプが設けられたポンプ設置構造物と、上記ポンプ設置構造物の屋根等に設置された太陽電池パネルとを備え、上記太陽電池パネルにより発電した電力を上記ポンプの駆動モータに供給するとともに、上記ポンプが電力を必要としていない時には、上記太陽電池パネルで発電した電力を商用電源側に流す配電盤を備えた太陽光発電兼用融雪装置である。
【０００７】
上記ポンプ設置構造物は、上記ポンプを収容したポンプ小屋であり、このポンプ小屋の屋根材を上記太陽電池パネルで兼用したものでも良い。また、上記融雪装置を用いて上記太陽電池パネル表面の雪を溶かす太陽電池用散水装置を設けることにより、冬の晴れた日の太陽光を有効に利用することができる。
【０００８】
またこの発明は、道路等の地表付近の地下に埋設され融雪用の電熱を発生させる発熱材と、この発熱材に電力を供給する制御装置と、この制御装置を備えた設置構造物と、上記設置構造物に取り付けられた太陽電池パネルとを備え、上記太陽電池パネルにより発電した電力を上記発熱材に供給するとともに、上記発熱材が電力を必要としていない時は、上記太陽電池パネルで発電した電力を商用電源側に流す配電盤を備えた太陽光発電兼用融雪装置である。
【発明の効果】
【０００９】
この発明の太陽光発電兼用融雪装置は、融雪装置を使用していない時期には太陽電池パネルでの発電量はほとんど売電され、その期間の売電による利益は相当金額になり、融雪装置の設置コストやランニングコストの削減に大きく寄与する。
【発明を実施するための最良の形態】
【００１０】
以下、この発明の実施の形態について、図面に基づいて説明する。図１、図２は、この発明の一実施形態の太陽光発電兼用融雪装置を示す。この実施形態の太陽光発電兼用融雪装置１０は、地下水を利用した融雪装置であり、半導体の太陽電池が設けられた太陽電池パネル１２が、融雪用の水を汲み上げて散水するポンプ１４や、ポンプ１４を駆動するモータ１６が備え付けられたポンプ設置構造物であるポンプ小屋１８の屋根に設置されている。ポンプ小屋１８には、太陽電池パネル１２により発電した直流電力を交流に変換するインバータ２０と、インバータ２０の出力電圧を例えば３相２００Ｖの商用交流電流に変圧する変圧器２２とが設けられている。さらに、太陽電池パネル１２からの電力により、モータ１６に電力を供給するとともに、不足した分を電力会社３０の商用電源２４から電力の供給を受ける配電盤２６を備えている。
【００１１】
ポンプ小屋１８は、その屋根材を太陽電池パネル１２により兼用したものでも良く、ポンプ１４により供給される地下水を太陽電池パネル１２の表面に散水する太陽電池用散水装置２８を備えとより好ましい。
【００１２】
この実施形態の太陽光発電兼用融雪装置１０は、地下水をくみ上げるモータ１６に供給する電力を、太陽電池パネル１２の太陽光発電による電力により賄うとともに、不足分を配電盤２６を介して商用電源２４から供給されるようにしている。さらに、降雪時以外の時の太陽電池パネル１２による発電エネルギーは、全て配電盤２６を介して商用電源２４の電力会社３０に売るものである。
【００１３】
この実施形態の太陽光発電兼用融雪装置１０は、融雪用のポンプ１４を天候に関係なく安定して稼動させることが可能となるとともに、電力の一部を太陽光による得ることができ、省エネルギーとなりランニングコストも抑えることができる。特に、降雪時以外の発電はすべて商用電源２４の電力会社３０に売られるので、太陽光発電により、年間を通して売電による利益を上げることができる。この売電による利益は、太陽電池パネルの設置コストを、例えば約１０年程度で回収可能なものであり、総合的に見れば、融雪装置の設置コストやランニングコストも大幅に削減することができる。
【００１４】
尚、この発明の太陽光発電兼用融雪装置は、上記実施形態に限定されるものではなく、地下水を利用した融雪装置の他、地表付近の地下に埋設され融雪用の電熱を発生させる発熱材と、この発熱材に電力を供給する制御装置と、この制御装置を備えた設置構造物と、上記設置構造物の上方に取り付けられた太陽電池パネルを備えたものでも良い。この場合も、上記太陽電池パネルにより発電した電力を上記発熱材に供給するとともに、上記発熱材が電力を必要としていない晴天時等には、上記太陽電池パネルで発電した電力を商用電源側に流す配電盤を備えたものである。この場合も、上記実施形態と同様の効果を得ることができる。
【００１５】
また、ポンプは制御装置、配電盤等が設置された設置構造物である小屋や支柱、枠材等の構造も、適宜的に変更可能なものであり、太陽光を受ける太陽電池パネルを設置可能なものであれば良い。
【図面の簡単な説明】
【００１６】
【図１】この発明の太陽光発電兼用融雪装置の一実施形態の取り付け状態を示す概略図である。
【図２】この発明の太陽光発電兼用融雪装置の一実施形態を示す概略斜視図である。
【符号の説明】
【００１７】
１０  太陽光発電兼用融雪装置
１２  太陽電池パネル
１４  ポンプ
１６  モータ
１８  ポンプ小屋
２０  インバータ
２２  変圧器
２４  商用電源
２６  配電盤
２８  太陽電池散水装置
３０  電力会社
【図１】
2005155272.tif 000003
【図２】
2005155272.tif 000004